(57)【要約】【課題】本発明の郵便物の仕分け棚は、郵便物の道順組立棚の多数の仕分け棚に対する当初の仕分け作業から、各配達人における最終段での仕分けまでに、道順組立棚の多数の仕分け棚への区分作業を中断することなく、短時間にて多くの労力とを要することなく、しかも最短距離を移送することにより作業効率良く郵便物の仕分けを行うものである。【解決手段】底板２、背板４、天板５、左右側板６を、折線ａ,ｂ,ｃ等により扁平可能に構成した外側構成用の枠体１と、所望数の中間部棚板８,８′及び仕切板９と、から成り、仕切板で中間部棚板を分離可能に支持し、底板および中間部棚板と左右側板等の構成部材を所望の連結子Ａで分離可能に連結した郵便物の仕分け棚にして、背板４には前記底板と、天板と、左右側板と、中間部棚板と、前記仕切板とで区画される多数の仕分け棚Ｔ・・・に対応して仕分けられる郵便物Ｕを背板の裏面へと取り出し可能な取出孔１２を設けた。【選択図】図１
2005288240.tif 000002
【特許請求の範囲】
【請求項１】
底板、背板、天板、左右側板を、それぞれ折線そのほかの接続手段により扁平可能に構成した外側構成用の枠体と、所望数の中間部棚板と、所望数の仕切板と、から成り、さらに前記仕切板で中間部棚板を分離可能に支持するとともに前記底板および中間部棚板と左右側板等の構成部材を所望の連結子で分離可能に連結した郵便物の仕分け棚において、前記背板には前記底板と、前記天板と、前記左右側板と、前記中間部棚板と、前記仕切板とで区画される多数の仕分け棚に対応して仕分けられる郵便物を背板の裏面へと取り出し可能な取出孔が整列化して設けられたことを特徴とする郵便物の仕分け棚。
【請求項２】
前記背板の裏面には整列化して設けた前記取出孔に一致して多数の仕分け棚に仕分けられる郵便物の飛び出しを規制し、各仕分け棚内に溜まる郵便物を前記取出孔から背板の裏面へと取り出し可能なストッパ手段を前記取出孔を遮るように設けたことを特徴とする請求項１に記載の郵便物の仕分け棚。
【請求項３】
前記ストッパ手段は、多数の前記取出孔に一致して張設されたゴム紐またはコイルばね等の所望複数本の弾性紐状部材であることを特徴とする請求項１,２に記載の郵便物の仕分け棚。
【請求項４】
前記仕切板は、斜状縁部が、略上半部においては側面右下がりに形成され、略下半部においては側面右上がりに形成されることを特徴とした請求項１,２,３に記載の郵便物の仕分け棚。
【請求項５】
前記仕分け棚内には前記中間部棚板間の高さよりも低い高さの脚板を左右対向して有する中棚を組み入れることにより仕分け棚内を中棚を介して上下に区分したことを特徴とする請求項１,２,３,４に記載の郵便物の仕分け棚。
【請求項６】
前記底部棚板と、中間部棚板との前端部裏面には幅狭の補強板が添設され、粘着テープを前記底部棚板と、中間部棚板とに対する前記補強板の添設個所のほか、左右側板に対する中間部棚板の突片の差込個所、また前記天板に取付けられる表示板の取付個所に貼付けたことを特徴とする請求項１,２,３,４に記載の郵便物の仕分け棚。
【発明の詳細な説明】
【技術分野】
【０００１】
本発明は郵便物の仕分け棚に関し、郵便物の区分作業に使用する例えば道順組立棚と戸別組立箱間における付帯作業の軽減をはじめ、作業工程間における運搬作業を短縮し、区分作業の簡素化と能率化をはかろうとするものである。
【背景技術】
【０００２】
従来、例えば郵便物をセンサー技術を利用しないで人為的に仕分けを行う仕分け棚として特に差し出し期間が定められ、当該期間中での差し出し数が格段と増加される年賀はがきや暑中見舞い等の区分作業に組立てられて最適に使用され、差し出し期間を経過後には分解して格納されるものがあった。
【０００３】
この郵便物の仕分け棚は、左右に復帰可能な立上がり板を有する底板と、背板、天板、左右側板とを、それぞれ折線そのほかの接続手段により扁平可能に構成した外側構成用の枠体と、数段の棚板と、仕切板と、上部規正板と、底部棚板とで構成され、組立にあたっては多数の仕分け棚を区画して形成し、また不使用時には分解可能にする構成であった。
【０００４】
そして、使用時には、外部構成用の枠体により区画される多数の仕分け棚の前方から郵便物を出し入れすることにより区分作業を行うものであった。
【０００５】
すなわち、上記従来の郵便物の仕分け棚を用いて、郵便物の区分作業を行うには、先ず道順組立棚毎の多数の仕分け棚に前方から郵便物を出し入れすることにより郵便物の区分作業を行う。次いで、道順組立棚の仕分け棚毎に仕分けられた郵便物を道順組立棚毎の多数の仕分け棚の前方から取出して対応する区分ケース内に納入する。それから、この区分ケースに納入した郵便物を郵便局の局内の運搬者により戸別組立箱へと運ぶ。その後、区分ケースから郵便物を取り出し、後段に設置された各戸別組立箱内へとさらに仕分けられる。
【０００６】
それから、各戸別組立箱内に仕分けられた郵便物は、さらに多数の整理箱へと移送して仕分けられる。さらに郵便物は各通区別に整理箱保管棚へ前方から仕分けられることにより、各配達人へと各配達区分されるものであった（例えば特許文献１参照）。
【特許文献１】実公平３−３７７５３３号公報
【発明の開示】
【発明が解決しようとする課題】
【０００７】
しかしながら、特許文献１に記載の上記従来の郵便物の仕分け棚は、左右に復帰可能な立上がり板を有する底板と、背板と、天板と、左右側板とを、それぞれ折線そのほかの接続手段により扁平可能に構成した外側構成用の枠体と、数段の棚板と、仕切板と、上部規正板と、底部棚板とで構成されるものであり、例えば年賀はがきや暑中見舞い等、差し出し期間中に差し出し数が格段と増加される郵便物を多数の各仕分け棚に区分するのには、先ず、道順組立棚毎の多数の仕分け棚に前方から郵便物を出し入れすることにより郵便物の区分作業を行う。
【０００８】
次いで、道順組立棚の仕分け棚毎に仕分け区分された郵便物は、道順組立棚毎の多数の仕分け棚の前方から取り出され、対応する区分ケース内に納入される。それから、この区分ケースに納入した郵便物は、郵便局の局内の運搬者により戸別組立箱へと運ばれる。その後、郵便物を区分ケースから取り出し、各戸別組立箱内へとさらに仕分けられる。それから、各戸別組立箱内に仕分けられた郵便物は、多数の整理箱へと移送して仕分けられる。
【０００９】
さらに、郵便物は、各通区別に整理箱保管棚へと前方から仕分けがされることにより、各配達人へと各配達区分とされるので、郵便物の道順組立棚の多数の仕分け棚に対する当初の仕分け作業から、各配達人における最終段での仕分けまでには、例えば道順組立棚の多数の各仕分け棚に郵便物を仕分け作業してから、後段の区分ケースへとさらに郵便物を仕分け作業する場合に、道順組立棚の多数の仕分け棚への区分作業を中断しなければならず、区分ケースの仕分け作業には多くの時間と労力がかかり、作業能率が悪くなっていた。
【００１０】
また、道順組立棚の多数の仕分け棚からの区分ケースへの郵便物の仕分け作業後には、各区分ケースを後段の戸別組立箱までの長い距離を移送しなければならず、多くの労力および手間がかかっていた。
【００１１】
本発明の郵便物の仕分け棚は、上記従来の欠点を解決し、郵便物の道順組立棚の多数の仕分け棚に対する当初の仕分け作業から、各配達人における最終段での仕分けまでに、道順組立棚の多数の仕分け棚への区分作業を中断することなく、短時間にて多くの労力とを要することなく、しかも最短距離の移送により作業効率良く郵便物の仕分けを行う郵便物の仕分け棚を提供することを目的とする。
【課題を解決するための手段】
【００１２】
本発明は上記課題に鑑みなされ、請求項１に記載の発明は、底板、背板、天板、左右側板を、それぞれ折線そのほかの接続手段により扁平可能に構成した外側構成用の枠体と、所望数の中間部棚板と、所望数の仕切板と、から成り、さらに前記仕切板で中間部棚板を分離可能に支持するとともに前記底板および中間部棚板と左右側板等の構成部材を所望の連結子で分離可能に連結した郵便物の仕分け棚において、前記背板には前記底板と、前記天板と、前記左右側板と、前記中間部棚板と、前記仕切板とで区画される多数の仕分け棚に対応して仕分けられる郵便物を背板の裏面へと取り出し可能な取出孔が整列化して設けられたことを特徴とするという手段を採用した。
【００１３】
また、本発明の請求項２に記載の発明は、請求項１において、前記背板の裏面には整列化して設けた前記取出孔に一致して多数の仕分け棚に仕分けられる郵便物の飛び出しを規制し、各仕分け棚内に溜まる郵便物を前記取出孔から背板の裏面へと取り出し可能なストッパ手段を前記取出孔を遮るように設けたことを特徴とするという手段を採用した。
【００１４】
また、本発明の請求項３に記載の発明は、請求項１,２において、前記ストッパ手段は、多数の前記取出孔に一致して張設されたゴム紐またはコイルばね等の所望複数本の弾性紐状部材であることを特徴とするという手段を採用した。
【００１５】
また、本発明の請求項４に記載の発明は、請求項１,２,３の何れかにおいて、前記仕切板は、斜状縁部が、略上半部においては側面右下がりに形成され、略下半部においては側面右上がりに形成されることを特徴としたという手段を採用した。
【００１６】
また、本発明の請求項５に記載の発明は、請求項１,２,３,４の何れかにおいて、前記仕分け棚内には前記中間部棚板間の高さよりも低い高さの脚板を左右対向して有する中棚を組み入れることにより仕分け棚内を中棚を介して上下に区分したことを特徴とするという手段を採用した。
【００１７】
また、本発明の請求項６に記載の発明は、請求項１,２,３,４の何れかにおいて、前記底部棚板と、中間部棚板との前端部裏面には幅狭の補強板が添設され、粘着テープを前記底部棚板と、中間部棚板とに対する前記補強板の添設個所のほか、左右側板に対する中間部棚板の突片の差込個所、また前記天板に取付けられる表示板の取付個所に貼付けたことを特徴とするという手段を採用した。
【発明の効果】
【００１８】
本発明は上記従来の欠点を解決し、郵便物の道順組立棚の多数の仕分け棚に対する当初の仕分け作業から、各配達人における最終段での仕分けまでに、道順組立棚の多数の仕分け棚への区分作業を中断することなく、短時間にて多くの労力とを要することなく、しかも最短距離を移送することにより作業効率良く郵便物の仕分けを行う。
【発明を実施するための最良の形態】
【００１９】
以下、図面に従って本発明の実施の最良の形態により、本発明の詳細を説明する。
【００２０】
図１は本発明の郵便物の仕分け棚の実施形態１の組立状態を示す正面図、図２は同じく背面図、図３は側面方向からの斜視図、図４は外側構成用の枠体を示す展開図、図５は本実施形態１を構成する上部規正板を示す平面図、図６は同じく本実施形態１を構成する中間部棚板の一例を示す平面図、図７は同じく該中間部棚板の前端下面に貼着される幅狭の補強板を示す平面図、図８は同じく本実施形態１を構成する中間部棚板の他例を示す平面図、図９は同じく該中間部棚板の前端下面に貼着される幅狭の補強板を示す平面図、図１０は同じく本実施形態１を構成する底部棚板を示す平面図、図１１は同じく該中間部棚板の前端下面に貼着される幅狭の補強板を示す平面図、図１２は同じく本実施形態１を構成する仕切板を示す側面図、図１３は同じく本実施形態１を構成する表示板を示す平面図、図１４は本実施形態１を構成する連結子の一例を示す拡大正面図、図１５は同じく拡大裏面図、図１６は同じく拡大平面図、図１７は同じく拡大側面図、図１８は同じく使用状態を示す拡大側面図、図１９は同じく取付後の状態を示す拡大側面図、図２０は同じく必要に応じて使用される中棚を組込んだ状態を部分的に示した説明用の斜視図、図２１は同じく上方より見た斜視図、図２２は同じく本実施形態１の郵便物の仕分け棚を使用して郵便物の仕分け作業を行う場合の一例を示すフローシートである。
【００２１】
本実施形態１は、底板２、背板４、天板５、左右側板６,６を、それぞれ折線ａ,ａ；ｂ,ｂ；ｃ,ｃそのほかの接続手段により扁平可能に構成した外側構成用の枠体１と、所望数の中間部棚板８,８′と、所望数の仕切板９と、から成り、さらに前記仕切板９で中間部棚板８,８′を分離可能に支持するとともに前記底板２および中間部棚板８,８′と左右側板６,６等の構成部材を所望の連結子Ａで分離可能に連結した郵便物の仕分け棚において、前記背板４には前記底板２と、前記天板５と、前記左右側板６,６と、前記中間部棚板８,８′と、前記仕切板９とで区画される多数の仕分け棚Ｔ・・・に対応して仕分けられる郵便物Ｕを背板４の裏面へと取り出し可能な取出孔１２が整列化して設けられるものである。
【００２２】
また、本実施形態１の郵便物の仕分け棚では、外側構成用の前記枠体１のほか、底部棚板７と、上部規正板１０とが用いられる。
【００２３】
また、前記底板２には左右に復帰可能な立上がり板３,３を有している。
【００２４】
そして、組立においては、前記仕切板９の下部を底部棚板７で分離可能に支持すると共に、仕切板９の上部を上部規正板１０で分離可能に支持する。又前述のように中間部棚板８,８′を仕切板９で分離可能に支持し、かつ中間部棚板８,８′の左右を左右側板６,６で分離可能に支持し、さらに前記底板２の立上り板３,３および中間部棚板８の立上り板８ｃ,８ｃと左右側板６,６とを所望の連結子Ａで分離可能に連結する。
【００２５】
また、前記外側構成用の枠体１と、底部棚板７と、中間部棚板８,８′と、仕切板９と、上部規正板１０とはダンボール紙により形成されるほか、合板、プラスチック板、軽金属板により形成することもできる。
【００２６】
図４において、３ａは底板２の立上がり板３,３に設けた２孔の連結用孔であり、この連結用孔３ａ,３ａのうちの１孔と左右側板６,６に設けられた最下部の連結用孔６ａ、および他の１孔と左右側板６,６に設けられた最下部の連結用孔６ａの１孔とが自然に合致して図１４乃至図１９に示すような連結子Ａを用いて底板２と左右側板６,６とは連結されるようになっている。３ｂは底板２の左右の立上がり板３,３の折線ｂの設置個所に設けられた細長孔である。
【００２７】
５Ａは天板５の左右に折線ｃ,ｃを介して折曲自在に設けられた曲折板５Ａ,５Ａであり、この曲折板５Ａ,５Ａには２孔の連結用孔５ａが設けられ、このうちの１孔と、左右側板６,６の最上部に設けられた２孔の連結用孔６ａのうちの１孔と、および他の１孔と左右側板６,６の最上部に設けられた２孔の連結用孔６ａの他の１孔が自然に合致して連結子Ａを用いて天板５と左右側板６,６とは連結される。５ａ′は上部基正板１０を連結子Ａにより結合するための連結用孔である。５ｃは差込長孔であり、この差込長孔５ｃは後記表示板１６を取付けるために上部規正板１０に設ける後記差込長孔１０ｄに重合され、表示板１６の突片１６ａ,１６ａが抜差可能に挿入される。
【００２８】
７ａは底部棚板７に所望間隔に設けられた切込溝である。また、７ｂは底部棚板７の左右に設けられた突片であり、この突片７ｂ,７ｂは底板２の左右の立上がり板３,３に設けた細長孔３ｂ,３ｂに嵌合される。
【００２９】
図６および図８において、８ａ,８′ａは前記中間部棚板８,８′に設けられた郵便物浮上孔であり、この郵便物浮上孔８ａ,８′ａは区分した多数の仕分け棚Ｔ・・・内に前方から仕分けられる郵便物Ｕを背板４に前記仕分け棚Ｔ・・・に対応して設けた取出孔１２から背面側へ取出し易くするために、穿孔位置は成人者の手首関節から人差し指の付け根までの長さを考慮して中間部棚板８,８′の背面端から約８０ｍｍの位置に設けられる。８ｂ,８′ｂは中間部棚板８,８′の前端から所望間隔に設けられた切込溝であり、この切込溝８ｂ,８′ｂは図１２に示す仕切板９の対応部所に設けられた切込溝９ｃに嵌合される。８ｃは前記中間部棚板８の左右に折線ｄ,ｄを介して折曲可能に設けられた立上がり片であり、８ｄは立上がり片８ｃに設けられた連結用孔である。８ｅは中間部棚板８の前記折線ｄ,ｄの設置個所に前部、左右の３方を切込みを入れて設けられた突片であり、この突片８ｅ,８ｅは後述するように左右側板６,６の細長孔６ｂ,６ｂに嵌合されることにより左右側板６,６に対する中間部棚板８の組付けが行われる。また、図６において、８′ｅはそれぞれ中間部棚板８′の左右に設けられた突片であり、これらの突片８ｅ,８′ｅは前記左右側板６,６に高さ方向に所望間隔にて設けた細長孔６ｂ,６ｂに嵌合されることにより左右側板６,６に対する中間部棚板８′の組付けが行われる。
【００３０】
図５において、１０ａは上部規正板１０に所望間隔に設けられた切込溝である。１０ｂは上部規正板１０の左右に設けられた突片であり、この突片１０ｂは前記天板５の折線ｃ,ｃの設置個所に設けた細長孔５ｂ内に嵌合されることにより上部規正板１０は天板５に重合して組付けが行われる。１０ｃは連結子Ａを用いて天板５に上部規正板１０を連結するための連結用孔である。１０ｄは表示板１６を取付けるために、表示板１６の突片１６ａ,１６ａが抜差自在に挿入される差込長孔であり、この差込長孔１０ｄは上板２に設ける差込長孔５ｃに重合されるようになっている。
【００３１】
前記取出孔１２は、区分した多数の仕分け棚Ｔ・・内に仕分けられる郵便物Ｕを背面側へ取出し易くするために、例えば成人者の手首関節から人差し指の付け根までの長さを考慮して図示する実施形態では幅Ｗが１１５ｍｍに形成される。また、この取出孔１２の形状は図１、図２、図４では略逆Ｕ字状に形成されているが、この形状は図示するものに限らず、例えば郵便物Ｕの大きさ、郵便物Ｕの取出し易さ等を考慮して自由に設定される。
【００３２】
また、図１及び図２において、１３は前記背板４の裏面に整列化して設けた前記取出孔１２,１２・・・に一致して該取出孔１２,１２・・・を縦に遮るように設けられたストッパ手段であり、このストッパ手段１３は多数の仕分け棚Ｔ・・・に仕分けられる郵便物Ｕの飛び出しを規制するために、例えばＪＩＳ  Ｓ  ５５０２にて規定する寸法が最も短い「長形４号、長形５号」の郵便物Ｕにおいて、横幅寸法が９０ｍｍであるのに対応して各仕分け棚Ｔ・・・に仕分け作業時に投げ入れる等することにより取出孔１２,１２・・・からの投げ入れによる飛び出しを規制するのと、郵便物Ｕが各仕分け棚Ｔ・・・内に仕分けられて溜まる場合に、前記取出孔１２,１２・・・から背板４の裏面へ郵便物Ｕの取り出しを可能にするためのものである。
【００３３】
また、前記ストッパ手段１３は、多数の前記取出孔１２,１２・・・に一致して縦に張設された図２に示すようなゴム紐１３Ａまたは図には示さないがコイルばね等の所望複数本の弾性紐状部材が使用される。ゴム紐１３Ａを前記取出孔１２,１２・・・に一致して縦に張設するには、ゴム紐１３Ａの両端に装着したフックＦ,Ｆを前記底板２と前記天板５との背面に係止することにより張設される。また、ゴム紐１３Ａは、幅６ｍｍ位のものが最適に使用される。
【００３４】
また、図３および図１２において前記仕切板９は、斜状縁部９ａが、略上半部においては側面右下がりに形成され、略下半部においては側面右上がりの斜状縁部９ｂに形成される。このように、仕切板９の前端を、略上半部においては側面右下がりの斜状縁部９ａに形成し、略下半部を側面右上がりの斜状縁部９ｂに形成したのは、区分された多数の仕分け棚Ｔ・・・内に仕分けられる郵便物Ｕの表示内容を、仕分け作業者が立ったままの姿勢で仕分け作業を行う場合に、見易くして仕分け作業の誤りを無くして確認操作を迅速かつ確実にするためである。
【００３５】
また、前記仕切板９の斜状縁部９ａおよび斜状縁部９ｂの木口面は、抜型の切断刃（図には示さず）により鋭利に切断した場合には、その切断端面により不用意なすり傷が発生されるため、多少の粗面をもつ切断面に切断を行う、いわゆるソフト切断を行うのが好ましい。
【００３６】
また、図６乃至図１１に示すように、中間部棚板８,８′と、底部棚板７との前端部裏面には中間部棚板８,８′と、底部棚板７との厚みを増して強度を増加するために、幅狭の補強板１４,１４′,１４″が添設される。そして、粘着テープ１５を前記天板５と上部規正板１０との前端重合部と、底板２と底部棚板７との前端重合部と、中間部棚板８,８′に対する前記補強板１４,１４′,１４″の添設個所における前端重合部のほか、底板２と、左右側板６,６に対する中間部棚板８,８′の突片８ｅ,８′ｅの差込個所、また前記天板５に取付けられる表示板１６の取付個所としての複数個の突片１６ａの差込部分に貼付ける。
【００３７】
また、各仕分け棚Ｔ・・・に対応する粘着テープ１５の貼着個所には対応する道順等の仕分け用途が表示されるラベルが貼着される。
【００３８】
図１４ないし図１９において、前記連結子Ａは、プラスチック、例えばポリエステル合成樹脂等を用いて形成され、この連結子Ａは、上半部Ａ１と下半部Ａ２より形成される。
【００３９】
そして、この上半部Ａ１と下半部Ａ２とは、それぞれ折線ｅで接続されている。そして、上半部Ａ１と下半部Ａ２は、それぞれ枠状部Ａ１１,Ａ２１と、該枠状部Ａ１１,Ａ２１の前部に形成された前板当接板Ａ１２,Ａ２１の背部に形成された背面当接板Ａ１３,Ａ２３より成り、下半部Ａ２のみにおける枠状部Ａ２１の前面の中央部に操作体Ａ２４が形成されている。
【００４０】
また、図２０および図２１において、１７は前記仕分け棚Ｔ・・内に、必要に応じて組み入れて使用される中棚であり、この中棚１７は上下に区分した前記中間部棚板８,８′・・・間の高さhよりも低い高さｈ′の脚板１７ａ,１７ａを左右対向して折曲可能に有している。１７ｂは郵便物Ｕの取出しをし易くするための郵便物浮上孔である。
【００４１】
図２２において、５０は道順組立棚の裏面に用意されている各戸別毎の戸別組立箱である。また、５１は戸別組立箱５０内に仕分けられた郵便物Ｕを移送して仕分ける多数の整理箱である。５２は整理箱５１から各通区別に郵便物Ｕが仕分けられる整理箱保管棚であり、この整理箱保管棚５２には多数の仕分け棚が設けられ、この整理箱保管棚５２にて仕分けられた郵便物Ｕは各配達人へ配達区分される。
【００４２】
本実施形態１の郵便物の仕分け棚は上記構成から成り、組立方を説明する。
【００４３】
先ず、図４に示すように展開状態にある外側構成用の枠体１の背板４を中心として、底板２を折線ａを介して前方に曲折すると共に立上り板３,３を折線ｂ,ｂを介して起立させる。
【００４４】
次いで左右側板６,６を折線ａ,ａを介して背面側から前方に曲折する。
【００４５】
その後、天板５を折線ａを介して前方に曲折し、曲折板５Ａ,５Ａを折線ｃ,ｃを介して折曲げるものであるが、これらの作業と平行して、各仕切板９の下部なる突片９ｄを底部棚板７の切込溝７ａ,７ａ内に嵌合する。
【００４６】
そして、各仕切板９の切込溝９ｃと、中間部棚板８,８′の切込溝８ｂ,８′ｂとを互いに嵌合する。また、上方規正板１０の切込溝１０ａ,１０ａに各仕切板９の上部なる突片９ｅを嵌合しておく。次に、底部棚板７の左右に設けた突片７ｂ,７ｂを左右側板６,６の立上り板３,３の細長孔３ｂ,３ｂに嵌合し、最後に天板５を上部規正板１０上に重合し、取付ける。
【００４７】
この時、底板２の立上がり板３,３に設けた２孔の連結用孔３ａ,３ａと左右側板６,６に数多設けられた連結用孔６ａのうちの最下方の２孔の連結用孔６ａ,６ａとが自然に合致する。また左右側板６,６に数多設けられた他の連結用孔６ａと中間部棚板８の左右の立上がり片８ｃ,８ｃに設けた連結用孔８ｄ,８ｄが合致する。さらには、天板５の曲折板５Ａ,５Ａに設けた２孔の連結用孔５ａと、左右側板６,６に設けられた２孔の連結用孔６ａとが自然に合致する。
【００４８】
この状態において、前記連結用孔３ａと連結用孔６ａ、また連結用孔６ａと連結用孔８ｄ、連結用孔５ａと連結用孔６ａとは連結子Ａを用いて連結される。
【００４９】
すなわち、先ず連結子Ａの前面当接板Ａ１２と前面当接板Ａ２２とを指頭で押圧して上半部Ａ１と下半部Ａ２とを折線ｅを介して二つ折り状として、この状態において背面当接板Ａ１３,Ａ２３を前記連結用孔６ａと連結用孔３ａ、また連結用孔６ａと連結用孔８ｄ、連結用孔６ａと連結用孔５ａとに挿入する（図１８参照）。
【００５０】
次いで、操作体Ａ２４を孔方向に押圧する（図１９参照）。しかる時に、二つ折り状にあった上半部Ａ１と下半部Ａ２とが、図１９の如く原状に復帰するとともに、背面当接板Ａ１３と背面当接板Ａ２３とが内側に位置される連結用孔３ａ,８ｄ,５ａの外周面に当接され、前面当接板Ａ１２と前面当接板Ａ２２とが外側に位置する連結用孔６ａ,６ａ,６ａの外周側に当接されて各個に一体化される。そして、この状態において、係止用突片Ａ２４１が係止溝Ａ１１１内に自ら嵌入されるが、必ずしもこの構成は使用しなくてもよい。
【００５１】
このようにして組立てられた本実施形態１の郵便物の仕分け棚は、所望高さの机上や台上に載置して使用される。
【００５２】
すなわち、年賀状、暑中見舞等、差出期間が定められている多量の郵便物Ｕの仕分け作業を行うのには、先ず、組立られた道順組立棚毎の多数の仕分け棚Ｔ・・に前方から年賀状等の郵便物Ｕを挿入することにより郵便物Ｕの区分作業を行う。
【００５３】
次いで、道順組立棚の仕分け棚Ｔ・・の背板４には各仕分け棚Ｔ・・に対応して取出孔１２が設けられているので、前述のように道順毎に各仕分け棚Ｔ・・に前方から挿入されて仕分けられた郵便物Ｕは、背板４に設けられた取出孔１２から取出されて図２２に示すように道順組立棚の裏面に用意されている各戸別毎の戸別組立箱５０内へと郵便物Ｕを仕分ける。
【００５４】
それから、各戸別組立箱５０内に仕分けられた郵便物Ｕは、さらに多数の整理箱５１へと移送して仕分けられる。さらに、郵便物Ｕは、整理箱５１から各通区別に整理箱保管棚５２の多数の仕分け棚に仕分けられ、その後は郵便物Ｕは配達区別に各配達人へ配達区分される。
【００５５】
従って、郵便物Ｕを仕分けるのに、道順毎の郵便物Ｕの道順組立棚の多数の仕分け棚に対する仕分け作業を中断してから、郵便物Ｕを道順組立棚の前方へと取り出し、その後に道順組立棚から取り出した郵便物Ｕを区分ケース内に納入するという特許文献１に記載の従来の郵便物の仕分け棚の仕分け作業とは異なり、本実施形態１の郵便物の仕分け棚では、郵便物Ｕの道順組立棚の多数の仕分け棚Ｔ・・に対する当初の仕分け作業から、各配達人における最終段での仕分けまでに多くの時間と労力を要さずに、即座に道順組立棚の道順毎の各仕分け棚Ｔ・・への郵便物Ｕの仕分け作業と、戸別組立箱５０への郵便物Ｕの納入作業とを行え、仕分け作業の効率化がはかれる。
【００５６】
また、郵便物Ｕの配達部数が多い場合には、図２０および図２１に示すように、組立てられた道順組立棚の多数の前記仕分け棚Ｔ・・内の該当個所に、上下に区分した前記中間部棚板８,８′・・・間の高さhよりも低い高さｈ′の脚板１７ａ,１７ａを左右対向して有する中棚１７を必要に応じて組み入れることにより、前述の説明のように各仕切棚Ｔ・・のみを使用する時よりも中棚１７により棚数を増加して郵便物Ｕの仕分け作業に供することができるものであり、多量の郵便物Ｕを容易かつ迅速に仕分けることができる。この時、中棚１７の脚板１７ａ,１７ａの高さｈ′は、任意に設定するものを使用することができる。
【００５７】
また、本実施形態１の郵便物の仕分け棚は、例えば使用済後に分解するのには、操作体Ａ２４を手前方向に引っ張ることにより連結子Ａによる係止を解放して簡易かつ迅速に仕分け棚Ｔ・・を分解することができる。
【００５８】
なお、本実施形態１の郵便物の仕分け棚は、外側構成用の枠体１と、底部棚板７と、中間部棚板８,８′と、仕切板９と、上部規正板１０とはダンボール紙により形成されるが、プラスチック板により形成される場合には、折線ａ,ｂ,ｃ,ｄの該当個所を、溝、或いは溝と突条等の周知の曲折技術を利用して実施することもできる。
【００５９】
また、本実施形態１の郵便物の仕分け棚Ｔ・・を、例えば合板、プラスチック板、軽金属板により形成する場合には、ヒンジ手段や布か皮革等による接続手段を用いることもある。
【産業上の利用可能性】
【００６０】
本発明の郵便物の仕分け棚は、郵便物の道順組立棚の多数の仕分け棚に対する当初の仕分け作業から、各配達人における最終段での仕分けまでに、道順組立棚の多数の仕分け棚への区分作業を中断することなく、短時間にて多くの労力とを要することなく、しかも最短距離を移送することにより作業効率良く郵便物の仕分けを行う分野・用途に適する。
【図面の簡単な説明】
【００６１】
【図１】図１は本発明の郵便物の仕分け棚の実施形態１の組立状態を示す正面図である。
【図２】図２は同じく背面図である。
【図３】図３は側面方向からの斜視図である。
【図４】図４は外側構成用の枠体を示す展開図である。
【図５】図５は本実施形態１を構成する上部規正板を示す平面図である。
【図６】図６は同じく本実施形態１を構成する中間部棚板の一例を示す平面図である。
【図７】図７は同じく該中間部棚板の前端下面に貼着される幅狭の補強板を示す平面図である。
【図８】図８は同じく本実施形態１を構成する中間部棚板の他例を示す平面図である。
【図９】図９は同じく該中間部棚板の前端下面に貼着される幅狭の補強板を示す平面図である。
【図１０】図１０は同じく本実施形態１を構成する底部棚板を示す平面図である。
【図１１】図１１は同じく該中間部棚板の前端下面に貼着される幅狭の補強板を示す平面図である。
【図１２】図１２は同じく本実施形態１を構成する仕切板を示す側面図である。
【図１３】図１３は同じく本実施形態１を構成する表示板を示す平面図である。
【図１４】図１４は本実施形態１を構成する連結子の一例を示す拡大正面図である。
【図１５】図１５は同じく拡大裏面図である。
【図１６】図１６は同じく拡大平面図である。
【図１７】図１７は同じく拡大側面図である。
【図１８】図１８は同じく使用状態を示す拡大側面図である。
【図１９】図１９は同じく取付後の状態を示す拡大側面図である。
【図２０】図２０は同じく必要に応じて使用される中棚を組込んだ状態を部分的に示した状態の説明用の斜視図である。
【図２１】図２１は同じく上方より見た斜視図である。
【図２２】図２２は同じく本実施形態１の郵便物の仕分け棚を使用して郵便物の仕分け作業を行う場合の一例を示すフローシートである。
【符号の説明】
【００６２】
１      枠体
２      底板
３      立上がり板
３ａ    連結用孔
３ｂ    細長孔
４      背板
５      天板
５Ａ    曲折板
５ａ    連結用孔
６      左右側板
７      底部棚板
７ａ    切込溝
７ｂ    細長孔
８      中間部棚板
８ｃ    立上がり片
８′    中間部棚板
９      仕切板
１０    上部規正板
１０ａ  切込溝
１０ｂ  突片
１２    取出孔
１３    ストッパ手段
１３Ａ  ゴム紐
１７    中棚
Ａ      連結子
Ｔ      仕分け棚
【図１】
2005288240.tif 000003
【図２】
2005288240.tif 000004
【図３】
2005288240.tif 000005
【図４】
2005288240.tif 000006
【図５】
2005288240.tif 000007
【図６】
2005288240.tif 000008
【図７】
2005288240.tif 000009
【図８】
2005288240.tif 000010
【図９】
2005288240.tif 000011
【図１０】
2005288240.tif 000012
【図１１】
2005288240.tif 000013
【図１２】
2005288240.tif 000014
【図１３】
2005288240.tif 000015
【図１４】
2005288240.tif 000016
【図１５】
2005288240.tif 000017
【図１６】
2005288240.tif 000018
【図１７】
2005288240.tif 000019
【図１８】
2005288240.tif 000020
【図１９】
2005288240.tif 000021
【図２０】
2005288240.tif 000022
【図２１】
2005288240.tif 000023
【図２２】
2005288240.tif 000024